(57)【要約】  【課題】移動通信端末に設定時刻を映像によって知らせるタイムサービスを提供する。  【解決手段】サーバに、映像コンテンツ格納手段と、初期画面表示手段と、移動通信端末のＯＳの計測する日時データと指定された希望日時とが一致すると指定された映像コンテンツを特定する情報と起動信号を出力するタイムサービス起動プログラムを格納するタイムサービス起動プログラム格納手段と、移動通信端末側からの入力信号に基づいてタイムサービス起動プログラムを移動通信端末のコンピュータに送信するプログラム送信処理手段と、映像コンテンツを移動通信端末に配信する映像コンテンツ配信処理手段を備えたタイムサービスサイトを構築する。移動通信端末からタイムサービスサイトにアクセスし、受信希望日時を指定することで、指定した希望日時に移動通信端末に指定した映像コンテンツが配信される【選択図】  図１
2008042360.tif 000002
【特許請求の範囲】
【請求項１】
移動通信端末からタイムサービス提供者のサーバに構築されたインターネット上のタイムサービスサイトにアクセスし、希望映像コンテンツと希望受信日時を指定することで、指定した希望日時に前記移動通信端末に指定した映像コンテンツが配信されるようにしたインターネット対応の移動通信端末を利用したタイムサービスシステムであって、
前記サーバを、
複数の映像コンテンツを保管する映像コンテンツ格納手段、
移動通信端末からインターネットを通じたアクセスにより移動通信端末の画面に前記複数の映像コンテンツを含む初期画面を表示する初期画面表示手段、
移動通信端末のＯＳの計測する日時データと指定された希望日時とが一致すると指定された映像コンテンツを特定する情報と起動信号を出力するタイムサービス起動プログラムを格納するタイムサービス起動プログラム格納手段、
移動通信端末側からの前記初期画面を通じた入力信号に基づいて前記タイムサービス起動プログラムを移動通信端末のコンピュータに送信するプログラム送信処理手段、
移動通信端末のコンピュータにダウンロードされた前記タイムサービス起動プログラムによって移動通信端末から前記起動信号と映像コンテンツを特定する情報を受信すると該特定された映像コンテンツを移動通信端末に配信する映像コンテンツ配信処理手段、
として機能させ、
前記移動通信端末のコンピュータを、
前記タイムサービスサイトの初期画面から映像コンテンツを選択し該選択した映像コンテンツの特定情報とそれを受信する希望日時を特定する信号を前記タイムサービスサイトに出力する受信希望日時指定手段、
前記タイムサービス起動プログラムを前記サーバからダウンロードするためのタイムサービス起動プログラム取り込み手段、
として機能させたことを特徴とするインターネット対応の移動通信端末を利用したタイムサービスシステム。
【請求項２】
前記タイムサービスサイト４から移動通信端末に映像コンテンツが送信されると、移動通信端末のベルが鳴り、移動通信端末に映像コンテンツがダウンロードされるようにしたことを特徴とする請求項１に記載のタイムサービスシステム。
【請求項３】
前記タイムサービス起動プログラムは、ユーザが前記タイムサービスサイトとの間で会員登録を行うことにより、該タイムサービスサイトからユーザの移動通信端末にダウンロード可能となることを特徴とする請求項１に記載のインターネット対応の移動通信端末を利用したタイムサービスシステム。
【請求項４】
前記映像コンテンツが音声を含むことを特徴とする請求項１に記載のインターネット対応の移動通信端末を利用したタイムサービスシステム。
【請求項５】
前記映像コンテンツが音声を含む動画像により構成されていることを特徴とする請求項１に記載のインターネット対応の移動通信端末を利用したタイムサービスシステム。
【発明の詳細な説明】
【技術分野】
【０００１】
本発明は、インターネット対応の携帯電話機などの移動通信端末を利用したタイムサービスシステムに関する。
【背景技術】
【０００２】
従来、移動通信端末が在圏する地域の標準時による指定時刻を設定する指定時刻設定手段と、前記移動通信端末が現に在圏する地域を確認する在圏地域確認手段と、該在圏地域確認手段により確認された現に在圏する地域の標準時による現在時刻が前記指定時刻設定手段により設定された指定時刻になったことを検出する設定時刻検出手段と、該設定時刻検出手段が前記指定時刻になったことを検出したときに、前記移動通信端末を自動呼び出しする発信手段、を有することを特徴とする移動通信端末自動呼び出しサービス装置が知られている（例えば特許文献１参照）。
【特許文献１】特開２００５−１９８０６５号公報
【発明の開示】
【発明が解決しようとする課題】
【０００３】
従来の移動通信端末を利用したモーニングコールなどのタイムサービスシステムは音声のみを用いたものが一般的である。しかしながら、音声のみによるタイムサービスは機能としては十分であるが、音声とともに映像もユーザに発信できればより魅力あるタイムサービスを実現できるがこのようなタイムサービスは現在開発されていない。
また、音声とともに映像も配信するタイムサービスシステムを構築する場合、タイムサービス提供者側で配信先の多数のユーザの移動通信端末のアドレスを管理するようにするとタイムサービス提供者側に大きな負担がかかり、システムの運営に大きなコストがかかってしまう。
本発明は上記問題点を解決することを目的とするものである。
【課題を解決するための手段】
【０００４】
上記目的を達成するため本発明は、移動通信端末からタイムサービス提供者のサーバに構築されたインターネット上のタイムサービスサイトにアクセスし、希望映像コンテンツと希望受信日時を指定することで、指定した希望日時に前記移動通信端末に指定した映像コンテンツが配信されるようにしたインターネット対応の移動通信端末を利用したタイムサービスシステムであって、
前記サーバを、
複数の映像コンテンツを保管する映像コンテンツ格納手段、
移動通信端末からインターネットを通じたアクセスにより移動通信端末の画面に前記複数の映像コンテンツを含む初期画面を表示する初期画面表示手段、
移動通信端末のＯＳの計測する日時データと指定された希望日時とが一致すると指定された映像コンテンツを特定する情報と起動信号を出力するタイムサービス起動プログラムを格納するタイムサービス起動プログラム格納手段、
移動通信端末側からの前記初期画面を通じた入力信号に基づいて前記タイムサービス起動プログラムを移動通信端末のコンピュータに送信するプログラム送信処理手段、
移動通信端末のコンピュータにダウンロードされた前記タイムサービス起動プログラムによって移動通信端末から前記起動信号と映像コンテンツを特定する情報を受信すると該特定された映像コンテンツを移動通信端末に配信する映像コンテンツ配信処理手段、
として機能させ、
前記移動通信端末のコンピュータを、
前記タイムサービスサイトの初期画面から映像コンテンツを選択し該選択した映像コンテンツの特定情報とそれを受信する希望日時を特定する信号を前記タイムサービスサイトに出力する受信希望日時指定手段、
前記タイムサービス起動プログラムを前記サーバからダウンロードするためのタイムサービス起動プログラム取り込み手段、
として機能させたことを特徴とする。
また本発明は、前記タイムサービスサイト４から移動通信端末に映像コンテンツが送信されると、移動通信端末のベルが鳴り、移動通信端末に映像コンテンツがダウンロードされるようにしたことを特徴とする。
また本発明は、前記タイムサービス起動プログラムは、ユーザが前記タイムサービスサイトとの間で会員登録を行うことにより、該タイムサービスサイトからユーザの移動通信端末にダウンロード可能となることを特徴とする。
また本発明は、前記映像コンテンツが音声を含むことを特徴とする。
また本発明は、前記映像コンテンツが音声を含む動画像により構成されていることを特徴とするものである。
【発明の効果】
【０００５】
本発明は、指定した時刻にユーザの移動通信端末に映像が配信されるされるのでユーザはあたかもテレビ電話によって時刻を知らされる感覚をもつことができ、ユーザに魅力のあるタイムサービスを提供できる。また、各ユーザの移動通信端末からサーバに起動信号が送信されるので、タイムサービス提供者側は、多数の移動通信端末のアドレスを管理する必要がなく、システムの運営を容易に行うことができる。
【発明を実施するための最良の形態】
【０００６】
以下に、本発明の実施の形態を添付した図面を参照して詳細に説明する。
図２は本発明に係るインターネット対応の携帯電話機などの移動通信端末を利用したタイムサービスシステムのハードウエアの構成を示している。タイムサービスを受けるユーザの、携帯電話機、ＰＨＳなどの移動通信端末１は、移動通信回線とインターネット２を通じて、タイムサービス提供者のサーバ３に接続している。
【０００７】
図２中、符号５は基地局、６はインターネットサービスを提供するキャリア会社の中央サーバなどが収容されたセンターである。図１は本システムの動作を示すフローチャートである。タイムサービスを受けたい、移動通信端末１のユーザは、図１のステップ１に示すように、インターネット２を通じて、サーバ３に構築されたタイムサービスサイト４にアクセスする（初期アクセス）。
【０００８】
ユーザからタイムサービスサイト４にアクセスがあると、当該サイト４は、タイムサービスの初期画面をユーザの移動通信端末１に送信する（ステップ２）。これにより、ユーザの移動通信端末１の画面にタイムサービスサイト４の初期画面が表示される（ステップ３）。この初期画面には、芸能人の音声付き各種動画像やコマーシャルなどの動画像あるいは静止画像により構成される映像コンテンツがタイムサービスの機能情報として表示される。
【０００９】
ユーザは、表示された初期画面から要求する機能例えばタレントＡの動画像の配信サービス機能を選択し、機能番号と、その機能を起動する日時（現在からの経過時間又は実日時）を指定する（ステップ４）。タイムサービスサイト４は、移動通信端末１から起動信号が送信されると、起動信号を発信した移動通信端末１に、指定された機能即ちタレントＡの動画像をリアルタイムで配信するように構成されている。
【００１０】
ユーザが初期画面から機能番号と、その機能を起動する日時を指定するとき、ユーザが会員ならば会員番号とパスワードを入力する。新規ユーザの場合には、会員登録をする。会員登録の場合には、初期画面から登録画面を表示させ、この画面に所要の情報を入力して会員登録を行う。次にユーザは、初期画面から選択した機能の番号や入力した会員登録情報をインターネット２を通じて、タイムサービスサイト４に送信する（ステップ５）。
【００１１】
ユーザから情報を受信したタイムサービスサイト４は、プログラムに基づいて、会員登録など必要な処理を行ったあと、要求された機能を指定日時に起動させる起動信号を造出するためのタイムサービス起動プログラム１５を移動通信端末１に配信する（ステップ６）。移動通信端末１はこのタイムサービス起動プログラム１５をダウンロードする（ステップ７）。
【００１２】
このタイムサービスサイト４は、図３に示すように、移動通信端末からインターネットを通じたアクセスにより移動通信端末の画面に複数の映像コンテンツを含む初期画面を表示する初期画面表示部７と、インターネット接続部８と、移動通信端末のＯＳの計測する日時データと指定された希望日時とが一致すると指定された映像コンテンツを特定する情報と起動信号を出力するタイムサービス起動プログラム１５を格納するタイムサービス起動プログラム格納手部１０と、移動通信端末１側からの初期画面を通じた入力信号に基づいてタイムサービス起動プログラム１５を移動通信端末１のコンピュータに送信するプログラム送信処理部１１と、移動通信端末１のコンピュータにダウンロードされたタイムサービス起動プログラム１５によって移動通信端末１から起動信号と映像コンテンツを特定する情報を受信すると特定された映像コンテンツを移動通信端末１に配信する映像コンテンツ配信処理部１２と、これらを制御する制御部１４とから構成されている。
【００１３】
前記タイムサービス起動プログラム１５は、図４に示すように、機能番号格納部１６と、指定日時データ格納部１７と、現在の日時と指定日時が一致したかどうかを判定する日時一致判定部１８と、サーバ３に起動信号を出力する起動信号出力部２１と、起動時間データ格納部１９と、これらを制御する制御部２０とから構成されている。
【００１４】
タイムサービス起動プログラム１５は、ユーザが指定した機能番号、起動時間即ち映像が移動通信端末１の画面に映る時間をデータとして含む。移動通信端末１にダウンロードされたタイムサービス起動プログラム１５は、移動通信端末１の画面にユーザの要求が受け付けられたことを表示する（ステップ８）。これに対してユーザはタイムサービス起動プログラム１５による表示に対して終了を指示する（ステップ９）。
【００１５】
前記移動通信端末１にダウンロードされたタイムサービス起動プログラム１５の日時一致判定部１８は、移動通信端末１のＯＳに対して起動日時までウエイトする要求を出し、待ち状態に移行する（ステップ１０）。次に、指定日時と現在の日時が一致し起動時刻になると、移動通信端末１のＯＳは、タイムサービス起動プログラム１５の日時一致判定部１８に一致信号を入力し、該日時一致判定部１８を起動する（ステップ１１）。起動されたタイムサービス起動プログラム１５の起動信号出力部２１は、要求機能即ち機能番号をサイト４へ送信する（ステップ１２）。
【００１６】
要求機能の番号を受信したサイト４は、要求に基づいて、要求に対応する映像コンテンツをユーザの移動通信端末１にインターネット２を通じて配信する（ステップ１３）。サイト４から移動通信端末１に映像データが送信されると、移動通信端末１のベルが鳴り、移動通信端末１は配信された映像コンテンツを受信する（ステップ１４）。
【図面の簡単な説明】
【００１７】
【図１】本発明の動作を示すフローチャートである。
【図２】本発明のハードウエア構成を示す全体説明図である。
【図３】タイムサービスサイトの機能ブロック説明図である。
【図４】タイムサービス起動プログラムの機能ブロック説明図である。
【符号の説明】
【００１８】
１      移動通信端末
２      インターネット
３      サーバ
４      タイムサービスサイト
５      基地局
６      センター
７      初期画面表示部
８      インターネット接続部
９      映像コンテンツ格納部
１０    タイムサービス起動プログラム格納部
１１    プログラム送信処理部
１２    映像コンテンツ配信処理部
１３    会員登録処理部
１４    制御部
１５    タイムサービス起動プログラム
１６    機能番号格納部
１７    指定日時データ格納部
１８    日時一致判定部
１９    起動時間データ格納部
２０    制御部
２１    起動信号出力部
【図１】
2008042360.tif 000003
【図２】
2008042360.tif 000004
【図３】
2008042360.tif 000005
【図４】
2008042360.tif 000006